(57)【特許請求の範囲】
【請求項１】
車体側に基端部を連結した第１スロープ部と第１スロープ部の展開側にスライド伸縮自在に連結した第２スロープ部とを備え、
第１スロープ部は、アウタパネルとその幅方向両側にアウタレールを有し、
第２スロープ部は、インナパネルとその幅方向両側にインナレールを有し、インナパネルはインナレール先端部より突出した接地先端部を有し、
インナレールはアウタレールの内側に形成した溝の先端部に取り付けた摺動支持部材に摺動支持され、且つインナレールの車両側端部に取り付けた端部側摺動支持部材がアウタレールの前記溝をスライドするものであり、
第２スロープ部が第１スロープ部にスライド収納された状態でインナレール先端部が前記アウタレールの先端部に取り付けた摺動支持部材よりも先に突出した外側の位置になるように摺動支持され、
前記摺動支持部材は前記アウタレールの溝とインナレールとの間に隙間が生じないようにしたことでインナレールとアウタレールの溝との間に異物が混入するのを防止してあり、
インナパネルの接地先端部の先端がアウタレールの先端部から突出して、且つ当該接地先端部の両サイドがインナレールの左右方向外側まで突出した末広がり形状になっていることを特徴とする車両用スロープ装置。
【発明の詳細な説明】
【技術分野】
【０００１】
本発明は、車両に格納し、使用時には車外に伸長展開し、車両の床部と地上との間にスロープを形成する車両用スロープ装置に関し、特に、スライド式タイプのスロープ装置に係る。
【背景技術】
【０００２】
従来の車両用スロープ装置としては、未使用時に車内に格納搭載できるように、複数のスロープ部を折り畳み式にしたものとスライド伸縮可能にしたものが公知である。
折り畳み式のスロープ装置であっては、展開状態の全長が一定であるので地上が平坦でなく、車両側の地上高さに比較してスロープの展開接地高さが大きく上下すると谷折りタイプであっても山折りタイプであっても、スロープ先端が地上に接地しなかったり、スロープ傾斜面が途中で少し、山折れ、又は谷折れ状態になる恐れがあった。
【０００３】
これに対して、スライド式のスロープ装置は、スロープを引き出して先端部を地面や床に接地させて使用するタイプである（特許文献１）。
【０００４】
このようなスライド式であっては、先端部が地面等に接地するまでスロープを引き出せばよく、かならずしも最大長になるまで伸長する必要がない利点がある。
しかし、従来のスライド式スロープ装置においては次のような技術的課題があった。
スロープ装置は車両に格納する際に、車両に対して基端側を回動自在に連結した例えば第１スロープ部に第２スロープ部をスライド収納し、起立格納する方式になっている。
起立させたスロープ装置の先端部付近の従来の構造例を図５に示す。
図５は収納状態の要部側面視である。
第１スロープ部は、アウタパネル１１１の幅方向両側にアウタレール１１２を有し、第２スロープ部は、インナパネル１２１の幅方向両側にインナレール１２２を有し、インナパネルの先端はインナレールから突出した接地先端部１２３を設けてあり、このインナレール１２２がアウタレール１１２に設けられている摺動支持部材１１３に支持されながら伸縮スライドする構造になっている。
第２スロープ部が第１スロープ部に収納された位置では、第２スロープ部がアウタレールに設けた摺動支持部材１１３の先端よりも車両側に納まるようになっていた。
このような構造では、インナレール１２２と摺動支持部材１１３との間に隙間ａが生じるために、万が一、この部分に異物が侵入した場合に第２スロープ部の伸長時の摺動性能が低下する恐れがある。
【０００５】
【特許文献１】特開２００１−４７９２７号公報
【発明の開示】
【発明が解決しようとする課題】
【０００６】
本発明は、スライド式タイプの車両用スロープ装置であって、スライド構造部に異物が侵入するのを防止できるスライド性に優れた車両用スロープ装置の提供を目的とする。
【課題を解決するための手段】
【０００７】
本発明に係る車両用スロープ装置は、車体側に基端部を連結した第１スロープ部と第１スロープ部の展開側にスライド伸縮自在に連結した第２スロープ部とを備え、第１スロープ部は、アウタパネルとその幅方向両側にアウタレールを有し、第２スロープ部は、インナパネルとその幅方向両側にインナレールを有し、インナパネルはインナレール先端部より突出した接地先端部を有し、インナレールはアウタレールの内側に形成した溝の先端部に取り付けた摺動支持部材に摺動支持され、且つインナレールの車両側端部に取り付けた端部側摺動支持部材がアウタレールの前記溝をスライドするものであり、第２スロープ部が第１スロープ部にスライド収納された状態でインナレール先端部が前記アウタレールの先端部に取り付けた摺動支持部材よりも先に突出した外側の位置になるように摺動支持され、前記摺動支持部材は前記アウタレールの溝とインナレールとの間に隙間が生じないようにしたことでインナレールとアウタレールの溝との間に異物が混入するのを防止してあり、インナパネルの接地先端部の先端がアウタレールの先端部から突出して、且つ当該接地先端部の両サイドがインナレールの左右方向外側まで突出した末広がり形状になっていることを特徴とする。
【０００８】
ここで第２スロープ部が第１スロープ部の展開側にスライド伸縮自在になっているとは、スロープ装置を車外側に展開する方向に第２スロープ部が第１スロープ部からスライド伸長するタイプのスロープ装置である趣旨をいい、本発明は、第２スロープ部がさらに複数のスロープ部に分割され、スライド伸長するものを含む。
【０００９】
本発明においては、インナレールはアウタレールに設けてある摺動支持部材に摺動支持されていて、第２スロープ部が第１スロープ部にスライド収納された状態でインナレール先端部が当該スライド支持部材よりも接地側に位置しているのが好ましい。
【発明の効果】
【００１０】
本発明にあっては、第２スロープ部が第１スロープ部にスライド収納された状態で第２スロープ部が第１スロープ部のアウタレールの先端部から突出しているのでスライド摺動部に異物が侵入するのを防止する。
【発明を実施するための最良の形態】
【００１１】
以下、本発明の実施の形態を、図面を用いて説明する。
図２は、スロープ装置を搭載した車両の斜視図で、スロープ装置１を展開した状態を示しており、車体２の後部を開閉するドア３を開き車室内４に車椅子（図示せず）を積載するようになっている。
車室内４のフロア後端に車椅子３を出し入れ可能にするスロープ装置１は、図３に示すように未使用時には収納された状態で起立させることにより車室内４後側に搭載され、使用時には図２に示すようにスロープ装置１先端が地上に接しスロープ装置１全体の傾斜がゆるやかな形状になるように展開される。
【００１２】
図４は、本発明に係る車両用スロープ装置の一実施形態を示した図である。
図４は、スロープ装置１が展開された状態を示している。
図４に示すように、スロープ装置１は、展開状態で隣り合う車両２側の第１スロープ部１０と地上Ｇ側の第２スロープ部２０の２つのスロープ部を有している。
また、図１に第２スロープ部を第１スロープ部に収納した要部を示す。
【００１３】
第１スロープ部１０は、スロープ幅方向の両端部でスライド方向（スロープ装置１の展開方向）に延在するアウタレール１２と、スロープ幅方向に延在するアウタパネル１１とからなりアウタパネル１１は地上側のフロア部材１１ａ、複数の中間部のフロア部材１１ｂ、及び車両側のフロア部材１１ｃから構成されている。
同様に、第２スロープ部２０は、スロープ幅方向の両端部でスライド方向に延在するインナレール２２と、スロープ幅方向に延在するインナパネル２１とからなり、インナパネル２１は地上側のフロア部材２１ａ、複数の中間部のフロア部材２１ｂ、及び車両側のフロア部材２１ｃから構成されている。
地上側のフロア部材２１ａの先端部には一体又は別体として接地先端部２３を有している。
【００１４】
第１スロープ部１０に第２スロープ部２０が収納された状態では、第１スロープ部１０に構成されている２つのアウタレール１２の内側に、第２スロープ部２０に構成されている２つのインナレール２２が配置されている。
第１スロープ部のフロア部材１１ａ、１１ｂ、１１ｃ、及び第２スロープ部のフロア部材２１ａ、２１ｂ、２１ｃのスロープ幅方向の両端部は、それぞれアウタレール１２及びインナレール２２の長手方向に延在する溝に嵌合されるとともに溶接又はビス止めにより固定されている。
これらのフロア部材（１１ａ、１１ｂ、１１ｃ、２１ａ、２１ｂ、２１ｃ）の表面上を車椅子等が移動可能となっており、アウタレール１２及びインナレール２２は、車椅子の脱輪を防止するようになっている。
【００１５】
アウタレール１２とインナレール２２との間には、樹脂材からなる摺動支持部材１３が介在され、アウタレール１２とインナレール２２とが摺動可能になっている。
この摺動支持部材は前後左右の４ヶ所に設けられている。
アウタレール１２とインナレール２２とが、それぞれアルミニウム合金の押出加工等により、前述した溝等の形状に成形されている。
【００１６】
第１スロープ部１０の両側のアウタレール１２の車両２側には、内側に突出したストッパ部が形成されており、第２スロープ部２０の第１スロープ部１０に対するスライド方向車両２側への移動を規制するようになっている。
つまり、第２スロープ部２０の収納状態における過剰スライドを防止するストッパ機構となっている。
【００１７】
また、第２スロープ２０の車両２側のフロア部材２１ｃには、車両２側端部が下方へ突出することによる係合部が一体的に形成されている。
この係合部と、フロア部材１１ａの係合部とが互いに係合することにより、第２スロープ部２０の第１スロープ部１０に対するスライド方向地上Ｇ側への移動を規制するようになっている。
つまり、第２スロープ部２０の展開状態における過剰スライドを防止するストッパ機構となっている。
【００１８】
第２スロープ部２０の車両２側のフロア部材２１ｃには、車両側端部上方を傾斜させた傾斜部が形成されており、車椅子が通過する際の段差を低減するようになっている。
第２スロープ部２０の地上側のフロア部材２１ａには、地上側端部下方を傾斜させた傾斜部が形成されるとともに、第２スロープ部２０を地上に下ろしたときは、フロア部材２１ａの接地先端部２３が地上Ｇと接するようになっている。
フロア部材２１ａの裏面にはゴム材からなる緩衝部材を固定することもでき、第２スロープ部２０を地上に下ろしたときの接地状態が良好となるようになっている。
【００１９】
フロア部材２１ａの車両側の端面には凸部が、フロア部材２１ａに隣り合うフロア部材２１ｂの地上側の短面には凹部が形成されており、互いに嵌合するようになっている。
同様に、全てのフロア部材の互いに対向する端面には、互いに嵌合するように凸部又は凹部が形成されている。
フロア部材は、それぞれアルミニウム合金の押出加工等により、前述した形状に加えて、スロープ装置１の表面側に位置する面には、長手方向平行に延びる滑り止め用の突起部や中空部が一体的に成形されている。
【００２０】
図４に示すように、第１スロープ部１０の車両２側のフロア部材１１ｃと、車室内４のフロア後端に固定されているヒンジ４３は、ピン（回動中心）４２を中心として回動可能に接続されている。
ヒンジ４３は、アルミニウム合金の押出加工等により、嵌合溝や中空部が一体的に成形されている。
【００２１】
図１に基づいて、第２スロープ部２０が第１スロープ部１０にスライド収納された状態の構造例を詳細に説明する。
図１（ａ）は、スロープ装置１を車外側に倒した状態の上面視を示し、図１（ｂ）は、第１スロープ部２０を第２スロープ部１０に収納した状態の先端部付近、要部断面側面視を示し、分かりやすくするためにインナパネル２１及びアウタパネル１１の断面線は省略してある。
インナレール２２は、アウタレール１２の先端部に取り付けられた摺動支持部材１３に支持されながらアウタレール１２の内側をスライドする。
なお、図示を省略したがインナレール２２の車両側においてはインナレール車両側先端部に摺動支持部材を取り付けてあり、アウタレールの内側を摺動スライドする。
両側のインナレール２２，２２から接地先端部２３が突出して形成されている。
スロープ装置１が展開した状態では、この接地先端部２３が地上に接地することになる。
本実施例では、接地先端部２３の両サイドがインナレールの外側に突出（２３ａ）した末広り形状になっていて車椅子等の昇降が容易になっているが、かならずしもこのような末広り形状にする必要はない。
図１（ｂ）に示すように、第２スロープ部２０が第１スロープ部１０に収納した状態でも、インナレール２２の先端部が摺動支持部材１３の外側（地面側）に位置しているので従来のような隙間ａが生じないので摺動部に異物が混入するのを防止している。
【００２２】
本実施例は、第２スロープ部が１つの場合であるが、第２スロープ部をさらに複数に分割したスライド構造であっても同様に応用できる。
【図面の簡単な説明】
【００２３】
【図１】本発明に係るスライド構造例を示す。
【図２】本発明に係る車両用スロープを展開した車両の斜視図である。
【図３】本発明に係る車両用スロープを収納した状態を示す斜視図である。
【図４】本発明の一実施形態における車両用スロープの展開状態の斜視図である。
【図５】従来の車両用スロープのスライド構造例を示す。
【符号の説明】
【００２４】
１      車両用スロープ装置
２      車両
４      車室内
１０    第１スロープ部
１１    アウタパネル
１２    アウタレール
２０    第２スロープ部
２１    インナパネル
２２    インナレール
２３    接地先端部
【図１】
0005723513.tif 000002
【図２】
0005723513.tif 000003
【図３】
0005723513.tif 000004
【図４】
0005723513.tif 000005
【図５】
0005723513.tif 000006